(57)【要約】【課題】複雑な形状のベッドパンであっても確実に洗浄用液を接触させて洗浄することが可能なベッドパンウォッシャを提供すること。【解決手段】ベッドパンＢＰを収容すると共に排水路５０に接続された洗浄槽２０と、洗浄槽２０に洗浄用液を供給する洗浄用液供給部３０と、洗浄用液供給部３０に接続され、洗浄槽２０に収容されたベッドパンＢＰに洗浄用液を噴射して、ベッドパンＢＰに収容されている汚物を排出すると共に、ベッドパンＢＰを洗浄する噴射ノズル２６と、排水路５０に配設され、排水路５０の排水の可否を切り替えする切替弁５２と、切替弁５２の開閉動作を制御すると共に、切替弁５２が排水路５０を閉じた際に、少なくともベッドパンＢＰを洗浄用液に浸漬させるまで洗浄用液供給部３０から洗浄槽２０内に洗浄用液を供給させる動作制御部６０と、を有していることを特徴とする。【選択図】図１
2016150326.tif 000002
【特許請求の範囲】
【請求項１】
ベッドパンを収容すると共に排水路に接続された洗浄槽と、
前記洗浄槽に洗浄用液を供給する洗浄用液供給部と、
前記洗浄用液供給部に接続され、前記洗浄槽に収容された前記ベッドパンに前記洗浄用液を噴射して、前記ベッドパンに収容されている汚物を排出すると共に、前記ベッドパンを洗浄する噴射ノズルと、
前記排水路に配設され、前記排水路の排水の可否を切り替えする切替弁と、
前記切替弁の開閉動作を制御すると共に、前記切替弁が前記排水路を閉じた際に、少なくとも前記ベッドパンを前記洗浄用液に浸漬させるまで前記洗浄用液供給部から前記洗浄槽内に前記洗浄用液を供給させる動作制御部と、を有していることを特徴とするベッドパンウォッシャ。
【請求項２】
前記洗浄槽には、前記ベッドパンが浸漬されている前記洗浄用液に気泡を供給する気泡供給手段が配設されていることを特徴とする請求項１記載のベッドパンウォッシャ。
【請求項３】
前記洗浄槽には、前記ベッドパンが浸漬されている前記洗浄用液に超音波振動を付与する超音波振動発振手段が配設されていることを特徴とする請求項１または２記載のベッドパンウォッシャ。
【請求項４】
前記洗浄槽には、前記ベッドパンが浸漬されている前記洗浄用液に気泡を供給する気泡供給手段と前記洗浄用液に超音波振動を付与する超音波振動発振手段と、がそれぞれ配設されていて、
前記洗浄用液による前記ベッドパンの浸漬洗浄時において、前記気泡供給手段と前記超音波振動発振手段とのそれぞれの動作のオンオフが選択可能な洗浄モード選択手段をさらに有していることを特徴とする請求項１記載のベッドパンウォッシャ。
【請求項５】
前記洗浄槽は、前記洗浄槽に貯留した前記洗浄用液を少なくとも前記洗浄槽内で循環させるための循環手段が配設されていることを特徴とする請求項１〜４のうちのいずれか一項に記載のベッドパンウォッシャ。
【発明の詳細な説明】
【技術分野】
【０００１】
本発明はベッドパンウォッシャに関し、より詳細には、ベッドパンを洗浄用液に浸漬させた状態で洗浄することが可能なベッドパンウォッシャに関する。
【背景技術】
【０００２】
医療分野や介護分野において多用されるベッドパンを洗浄するためのベッドパンウォッシャの構成としては、例えば特許文献１に開示されているような構成のものが知られている。
【先行技術文献】
【特許文献】
【０００３】
【特許文献１】特開２０００−５１２９０号公報
【発明の概要】
【発明が解決しようとする課題】
【０００４】
特許文献１において開示されているベッドパンウォッシャは、ベッドパンを回転させながら洗浄処理をすることで、ベッドパンに収容されている便を排出しながら確実にベッドパンを洗浄処理するための工夫がなされたものである。
【０００５】
特許文献１に開示されているように、ベッドパンの表面に対して様々な方向から洗浄用液を噴き付けてベッドパンを洗浄する構成を採用することにより、様々な形状のベッドパンの洗浄が可能であるが、ベッドパンの形状が複雑になると、洗浄液を十分に噴き付けることができずにベッドパンに十分な洗浄ができていない部分が生じてしまうといった課題があった。
【０００６】
そこで本発明は上記課題を解決すべくなされたものであり、その目的とするところは、ベッドパンの形状にかかわらずベッドパンの外表面に対して洗浄液を確実に接触させることで、複雑な形状のベッドパンであっても確実に洗浄用液を接触させて洗浄することが可能なベッドパンウォッシャを提供することにある。
【課題を解決するための手段】
【０００７】
上記課題を解決するために本願発明者が鋭意研究した結果、以下の構成に想到した。
すなわち本願発明は、ベッドパンを収容すると共に排水路に接続された洗浄槽と、前記洗浄槽に洗浄用液を供給する洗浄用液供給部と、前記洗浄用液供給部に接続され、前記洗浄槽に収容された前記ベッドパンに前記洗浄用液を噴射して、前記ベッドパンに収容されている汚物を排出すると共に、前記ベッドパンを洗浄する噴射ノズルと、前記排水路に配設され、前記排水路の排水の可否を切り替えする切替弁と、前記切替弁の開閉動作を制御すると共に、前記切替弁が前記排水路を閉じた際に、少なくとも前記ベッドパンを前記洗浄用液に浸漬させるまで前記洗浄用液供給部から前記洗浄槽内に前記洗浄用液を供給させる動作制御部と、を有していることを特徴とするベッドパンウォッシャである。
【０００８】
このようにベッドパンに収容されている汚物を排出すると共に、ベッドパンを洗浄することにより、ベッドパンを洗浄用液に浸漬させた状態で洗浄することが可能になる。ベッドパン全体を洗浄用液に浸漬させることで、複雑な形状のベッドパンであっても、全ての表面に対して洗浄用液を確実に接触させることができ、適切にベッドパンの洗浄を行うことができる。
【０００９】
また、前記洗浄槽には、前記ベッドパンが浸漬されている前記洗浄用液に気泡を供給する気泡供給手段が配設されていることが好ましい。
【００１０】
これにより、ベッドパンが洗浄用液に単に浸漬されるだけではなく、いわゆるバブリング効果により洗浄用液によるベッドパンの洗浄度を向上させることができ、より確実なベッドパンの洗浄を行うことができる。
【００１１】
また、前記洗浄槽には、前記ベッドパンが浸漬されている前記洗浄用液に超音波振動を付与する超音波振動発振手段が配設されていることが好ましい。
【００１２】
これにより、ベッドパンが洗浄用液に単に浸漬されるだけではなく、超音波振動効果によるベッドパンの洗浄度を向上させることができ、より確実にベッドパンを洗浄することができる。
【００１３】
また、前記洗浄槽には、前記ベッドパンが浸漬されている前記洗浄用液に気泡を供給する気泡供給手段と前記洗浄用液に超音波振動を付与する超音波振動発振手段と、がそれぞれ配設されていて、前記洗浄用液による前記ベッドパンの浸漬洗浄時において、前記気泡供給手段と前記超音波振動発振手段とのそれぞれの動作のオンオフが選択可能な洗浄モード選択手段をさらに有していることが好ましい。
【００１４】
これにより、バブリング洗浄効果と超音波振動による洗浄効果を適宜使い分けすることができる。また、両者を同時に使用することにより、洗浄用液による浸漬洗浄時におけるベッドパンウォッシャの洗浄性をさらに高めることができる。
【００１５】
また、前記洗浄槽は、前記洗浄槽に貯留した前記洗浄用液を少なくとも前記洗浄槽内で循環させるための循環手段が配設されていることが好ましい。
【００１６】
これにより、ベッドパンと洗浄用液との接触機会を増やすことができ、洗浄用液によるベッドパンの洗浄度を高めることができる。
【発明の効果】
【００１７】
本発明にかかるベッドパンウォッシャの構成を採用することにより、ベッドパンに収容されている汚物を排出すると共に、いわゆる予備洗浄がなされるため、ベッドパンを洗浄用液による浸漬洗浄を行うことが可能になる。このような洗浄用液を用いた浸漬洗浄を行うことにより、ベッドパンの形状にかかわらずベッドパンの外表面に対して洗浄用液を確実に接触させることができるから、複雑な形状のベッドパンであっても確実な洗浄を行うことが可能になる。
【図面の簡単な説明】
【００１８】
【図１】第１実施形態におけるベッドパンウォッシャの概略構成を示す説明図である。
【図２】第２実施形態におけるベッドパンウォッシャの概略構成を示す説明図である。
【発明を実施するための形態】
【００１９】
（第１実施形態）
以下、本発明にかかるベッドパンウォッシャの実施形態について、図面に基づいて具体的に説明する。なお、本明細書中におけるベッドパンとは、ベッドパンの他に、尿瓶、簡易トイレの便収容容器に代表される便収容容器を含む概念である。
本実施形態におけるベッドパンウォッシャ１０は、図１に示すように、洗浄対象物を回転ドラム２１で回転させながら洗浄を行う函型の洗浄槽２０を有し、洗浄槽２０には第１洗浄用液供給部３０および第２洗浄用液供給部４０と、排水路５０と、がそれぞれ接続されている。
【００２０】
洗浄槽２０の正面側には扉２２が取り付けられている。扉２２は洗浄槽２０にヒンジ等に代表される図示しない連結手段を介して洗浄槽２０に対して開閉可能に取り付けられている。扉２２は、洗浄槽２０のメンテナンス等を行う際において洗浄槽２０から取り外し可能に取り付けられていることが好ましい。本実施形態においては、扉２２の外表面に洗浄モード選択手段としての洗浄モード選択スイッチ２３が配設されている。使用者が洗浄モード選択スイッチ２３を操作することで、後述するベッドパンＢＰの浸漬洗浄時における気泡供給手段２７と超音波振動発振手段２８との動作のオンオフを任意に選択することができる。
【００２１】
洗浄槽２０の内部には、回転ドラム２１と、第１洗浄用液供給部３０および第２洗浄用液供給部４０のそれぞれに接続され、洗浄槽２０の内部に第１洗浄用液と第２洗浄用液を選択的に供給可能な噴射ノズル２６と、気泡供給手段２７と、超音波振動発振手段２８とが配設されている。
【００２２】
回転ドラム２１は、洗浄槽２０の扉２２を開いた際における開口面に垂直な軸周りに回転可能に収容されている。回転ドラム２１の内部には、ベッドパンＢＰを収容するベッドパン収容部２４と、ベッドパン収容部２４を保持する保持台２５が取り付けられている。
回転ドラム２１と保持台２５およびベッドパン収容部２４はいずれも線状体により形成された籠型形状に形成されている。回転ドラム２１が図示しない駆動手段の駆動力により洗浄槽２０の内部で回転すると、噴射ノズル２６により回転ドラム２１およびベッドパン収容部２４の外側から第１洗浄用液および第２洗浄用液を供給しても確実にベッドパンＢＰの外表面に接触させることができる。また、回転ドラム２１が回転することにより、ベッドパンＢＰを洗浄しながらベッドパンＢＰ内の汚物を排水路３０から洗浄槽２０の外部に排出させることができる点において好都合である。回転ドラム２１の回転動作は、後述する動作制御部６０により制御されている。
【００２３】
噴射ノズル２６は、洗浄槽２０の内壁面に少なくとも１箇所に装着されている。噴射ノズル２６は装着された洗浄槽２０の内壁面に対して直交する軸線周りに回動可能に設けられている。本実施形態においては、洗浄槽２０の各内壁面に複数個の噴射ノズル２６を配設した。いずれの噴射ノズル２６も噴射口がベッドパン収容部２４に向けた状態を初期状態としている。噴射ノズル２６の回動動作は、後述する動作制御部６０により制御されている。
【００２４】
本実施形態における気泡供給手段２７は、洗浄槽２０の下側内壁面に配設されている。気泡供給手段２７は洗浄槽２０の外部空気を洗浄槽２０内に供給するものであり、いわゆるエアレーション装置が好適に用いられる。気泡供給手段２７はいわゆるマイクロバブル（気泡の径寸法が概ね１マイクロメートル以上５０マイクロメートル以下の気泡を指す）やナノバブル（気泡の径寸法が概ね１マイクロメートル未満の気泡を指す）と称される微細気泡を洗浄槽２０の内部に貯留された第２洗浄用機に供給することができるものであればさらに好適である。気泡供給手段２７の動作は、後述する動作制御部６０により制御されている。
【００２５】
また、超音波振動発振手段２８は洗浄槽２０の内壁面に少なくとも一箇所に配設されている。超音波振動発振手段２８は発振させた超音波がベッドパン収容部２４に向けて放出されるように配設されている。本実施形態においては、洗浄槽２０の内壁面のうちの互いに対向する側面に超音波振動発振手段２８を配設し、超音波振動発振手段２８どうしを向い合せた状態で配設した。超音波振動発振手段２８の動作は、後述する動作制御部６０により制御されている。
【００２６】
第１洗浄用液供給部３０は、第１洗浄用液を貯留する第１タンク３２と、第１タンク３２内に貯留した第１洗浄用液を噴射ノズル２６に供給するための第１ポンプ３４とを有している。第１タンク３２には第１洗浄用液として弱アルカリ性の洗浄洗剤の水溶液が貯留されているが、第１洗浄用液はこの洗浄用液に限定されるものではない。第１ポンプ３４のオンオフ動作は後述する動作制御部６０により制御されている。
【００２７】
第２洗浄用液供給部４０は、第２洗浄用液を貯留する第２タンク４２と、第２タンク４２内に貯留した第２洗浄用液を噴射ノズル２６に供給するための第２ポンプ４４とを有している。第２タンク４２には第２洗浄用液として弱アルカリ性の洗浄洗剤の水溶液が貯留されているが、第２洗浄用液はこの洗浄用液に限定されるものではない。第２ポンプ４４のオンオフ動作は後述する動作制御部６０により制御されている。
【００２８】
なお、ここでは第１ポンプ３４と第２ポンプ４４とをそれぞれ独立に配設しているが、噴射ノズル２６に第１タンク３２の第１洗浄用液および第２タンク４２の第２洗浄用液をそれぞれ供給可能な図示しない共通ポンプを、第１ポンプ３４および第２ポンプ４４と置き換えした構成を採用することもできる。共通ポンプのオンオフ動作や噴射ノズル２６に供給すべき洗浄用液の選択は、後述する動作制御部６０により制御されている。
【００２９】
排水路５０には、排水路５０の流路断面を開放して洗浄槽２０内で生じた汚水を下水道等に代表される排水施設への排出を可能にすると共に、排水路５０の流路断面を閉塞して洗浄槽２０の内部空間に第２洗浄用液を貯留可能にするための切替弁５２が配設されている。本実施形態における切替弁５２は、洗浄槽２０と排水路５０との接続部分に配設した。このような切替弁５２としては電動開閉弁が好適に用いられる。切替弁５２の開閉動作は、後述する動作制御部６０により制御されている。
【００３０】
動作制御部６０は、回転ドラム２１、噴射ノズル２６、気泡供給手段２７、超音波振動発振手段２８、第１洗浄用液供給部３０、第２洗浄用液供給部４０、切替弁５２についてそれぞれの動作を制御するものである。このような動作制御部６０としては、ベッドパンＢＰを洗浄する際の各工程において、ベッドパンウォッシャ１０の各構成の動作内容について記述されている動作制御プログラムと、動作制御プログラムを記憶する記憶部と、動作制御プログラムの内容に基づいて、各構成の動作を実行させるＣＰＵと、により構成することができる。
【００３１】
次に、本実施形態におけるベッドパンウォッシャ１０を用いたベッドパンＢＰの洗浄方法について説明する。使用者が、洗浄槽２０の扉２２を開き、使用済みのベッドパンＢＰを回転ドラム２１の内部に設けたベッドパン収容部２４に収容する。使用者が扉２２を閉じ、洗浄モード選択スイッチ２３を操作し、第２洗浄用液を用いたベッドパンＢＰの浸漬洗浄時における洗浄モードの選択が行われる。ここでは、気泡供給手段２７および超音波振動発振手段２８の両方を作動させた浸漬洗浄を選択した。
【００３２】
使用者により洗浄モード選択スイッチ２３による洗浄モードの選択が完了した後、図示しないスタートボタンを押下または所定時間経過後に、動作制御部６０が扉２２をロックすると共に、切替弁５２を作動させて、排水路５０の流路断面を開放させる処理を実行する。切替弁５２を開くことにより排水路５０の流路断面を解放させた後、動作制御部６０は、第１洗浄用液供給部３０と噴射ノズル２６と回転ドラム２１とをそれぞれ作動させる処理を実行し、第１洗浄用液をベッドパンＢＰに噴射させ、ベッドパンＢＰの一次洗浄が行われる。この一次洗浄の際に、ベッドパンＢＰに収容されている汚物が排出路３０から洗浄槽２０の外部の排水施設に排出されることになる。
【００３３】
第１洗浄用液によるベッドパンＢＰの一次洗浄が完了した後、動作制御部６０は、切替弁５２により排水路５０の流路断面を閉塞させる処理を実行する。切替弁５２による排水路５０の流路断面の閉塞動作以降に、動作制御部６０は、第２洗浄用液供給部４０と噴射ノズル２６とをそれぞれ作動させ、第２洗浄用液をベッドパンＢＰに噴射し、少なくともベッドパンＢＰが第２洗浄用液に完全に浸漬される状態になるまで洗浄槽２０の内部に第２洗浄用液を貯留させる処理を実行する。このようにベッドパンＢＰに直接第２洗浄用液を噴射ノズル２６から噴射しながら洗浄槽２０に第２洗浄用液を貯留させているので、第２洗浄用液による浸漬洗浄の前に一次洗浄を行うことができる。
【００３４】
洗浄槽２０内に予め設定された量の第２洗浄用液が貯留されると、動作制御部６０は、洗浄モード選択スイッチ２３により選択された内容に基づいて気泡供給手段２７と超音波振動発振手段２８との動作制御を実行する。ここでは、気泡供給手段２７と超音波振動発振手段２８の両者を交互または同時に若しくは一方を作動させた後に他方を作動させている。
【００３５】
第２洗浄用液に浸漬させたベッドパンＢＰに気泡供給手段２７によりマイクロバブルやナノバブルと称される微細気泡を供給することで、微細気泡がはじける際の衝撃により第２洗浄用液によるベッドパンＢＰの浸漬洗浄を行う際の洗浄性を向上させている。
これと同様に、第２洗浄用液に浸漬させたベッドパンＢＰに超音波振動発振手段２８から超音波振動を照射することにより、ベッドパンＢＰの表面を振動させることで、第２洗浄用液によるベッドパンＢＰの浸漬洗浄を行う際の洗浄性を向上させている。
【００３６】
第２洗浄用液を用いたベッドパンＢＰの浸漬洗浄が完了すると、動作制御部６０は切替弁５２による排水路５０の流路断面を開放し、排水路５０を介して第２洗浄用液を排水設備に排水する。
洗浄槽２０内から全ての第２洗浄用液が排出されると、動作制御部６０は扉２２のロックを解除し、使用者に洗浄後のベッドパンＢＰの取り出しを可能にしている。ここでは、第２洗浄用液によるベッドパンＢＰの浸漬洗浄の後、直ちにベッドパンＢＰを取り出す構成を示しているが、第２洗浄用液の中和処理や、ベッドパンＢＰの表面の保護等を目的としたリンス液を噴射ノズル２６からベッドパンＢＰに噴射させる処理を動作制御部６０により実行させるようにしてもよい。
【００３７】
（第２実施形態）
本実施形態において第１実施形態におけるベッドパンウォッシャ１０の構成と同一の構成については、第１実施形態と同一の部材番号を用いることにより、ここでの詳細な説明を省略している。
本実施形態は、第１実施形態のベッドパンウォッシャ１０の構成に対し、第１タンク３２の構成を上水道の給水口３３の構成に変更すると共に、第１ポンプ３４の構成を電磁弁３６の構成に変更し、さらに洗浄槽２０に循環手段としての循環ポンプ７０を追加した構成が特徴的である。電磁弁３６は、上水道の給水口３３から洗浄槽２０への水道水の取り込みのオンオフ状態を切り替えするためのものである。電磁弁３６の開閉動作は動作制御部６０により制御されている。このように第１洗浄用液として水道水を用いることにより、第１洗浄用液のランニングコストを大幅に低減させることができる。
【００３８】
洗浄槽２０に配設した循環ポンプ７０は、第２洗浄用液を洗浄槽２０の内部空間に貯留させて、ベッドパンＢＰを第２洗浄用液により浸漬洗浄する際において、洗浄槽２０の内部で貯留させた第２洗浄用液を循環させるためのものである。循環ポンプ７０のオンオフ動作および出力の強弱は、動作制御部６０により制御されている。このように第２洗浄用液を洗浄槽２０の内部で循環させることにより、ベッドパンＢＰを流れのある第２洗浄用液に浸漬させた状態で洗浄処理を行うことができ、第２洗浄用液による浸漬洗浄の洗浄性を向上させることができる点において好都合である。
【００３９】
以上、本願発明にかかるベッドパンウォッシャ１０について上記実施形態に基づいて詳細に説明したが、本願発明にかかるベッドパンウォッシャ１０の構成は、上記実施形態に示したベッドパンウォッシャ１０の構成に限定されるものではない。たとえば、以上の実施形態においては、洗浄用液として第１洗浄用液と第２洗浄用液を用いる形態例について説明しているが、洗浄用液は１つであってもよい。
【００４０】
また、動作制御部６０は、ベッドパンＢＰの浸漬洗浄を行うにあたり、ベッドパン収容部２４が洗浄槽２０の内部空間において可及的に低い位置（排水路３０に近い位置）となるように回転ドラム２１の位置を調整してもよい。浸漬洗浄を行う際において、洗浄槽２０内におけるベッドパン収容部２４の位置を低い位置にすることで、洗浄槽２０に貯留させる第２洗浄用液の水量を少量することができる。
【００４１】
また、以上の実施形態においては洗浄槽２０に気泡供給手段２７と超音波振動発振手段２８とをそれぞれ配設した形態例について説明したが、気泡供給手段２７と超音波振動発振手段２８とはいずれか一方のみまたは両者の配設を省略することもできる。
【００４２】
また、第２実施形態においては、第１洗浄用液としていわゆる水道水を用いる形態について説明したが、上水道から取り込んだ水道水を所定温度に加熱する図示しない加熱手段を配設することもできる。この加熱手段は、第１洗浄用液の加熱に限らず、第２洗浄用液を加熱するためのものであってもよいし、第１洗浄用液および第２洗浄用液の両方を加熱するための構成にすることもできる。この加熱手段は第１洗浄用液供給部３０、第２洗浄用液供給部４０の少なくとも一方、または洗浄槽２０の内部に配設することができる。
そして、洗浄槽２０の内部に加熱手段を配設した場合には、洗浄用液の加熱に限らず、洗浄処理後におけるベッドパンＢＰの乾燥処理に用いることもできる。加熱手段の発熱温度は、加熱目的に応じて動作制御部６０により制御することができる。
【００４３】
さらに、第２実施形態においては、循環ポンプ７０により洗浄槽２０の内部で第２洗浄用液を循環させる形態について説明したが、洗浄槽２０の内部空間と第２タンク４２とを接続した状態で第２洗浄用液を循環ポンプ７０により循環させるようにしてもよい。この場合、第２洗浄用液は繰り返し使用を前提となり、第２洗浄用液によるベッドパンＢＰの浸漬洗浄が完了した後、図示しない吸引ポンプにより洗浄槽２０の内部に貯留させた第２洗浄用液を第２タンク４２に回収する構成としてもよい。
以上の変形例の他、上記各実施形態および変形例の各構成を適宜組み合わせた形態を採用することもできる。
【符号の説明】
【００４４】
１０  ベッドパンウォッシャ，
２０  洗浄槽，２１  回転ドラム，２２  扉，２３  洗浄モード選択スイッチ，
２４  ベッドパン収容部，２５  保持台，２６  噴射ノズル，２７  気泡供給手段，
２８  超音波振動発振手段，
３０  第１洗浄用液供給部，３２  第１タンク，３４  第１ポンプ
４０  第２洗浄用液供給部，４２  第２タンク，４４  第２ポンプ
５０  排水路，５２  切替弁，
６０  動作制御部，
７０  循環ポンプ，
ＢＰ  ベッドパン，
【図１】
2016150326.tif 000003
【図２】
2016150326.tif 000004